(57)【要約】【課題】給湯状態を使用者に分かりやすく報知することのできる給湯装置を提供する。【解決手段】制御手段は、給湯温度が目標温度に等しくなるように混合弁を動作させる。制御手段は、現在の給湯状態に関する情報である給湯情報をユーザーインターフェースに送信する。ユーザーインターフェースは、給湯情報を表示可能な表示手段を有する。給湯流量が閾値以上である場合には、給湯温度センサにより検出された現在の給湯温度に関する情報を含む第一表示が給湯情報として表示手段に表示される（ステップＳ５）。給湯流量が閾値よりも低い場合には、現在の給湯温度に関する情報以外の情報を含む第二表示が給湯情報として表示手段に表示される（ステップＳ７）。【選択図】図５
2019113212.tif 000002
【特許請求の範囲】
【請求項１】
湯側入口、水側入口、及び出口を有し、前記湯側入口から流入する第一温水と、前記水側入口から流入する第二温水とを混合した混合温水を前記出口から流出させる混合弁と、
前記混合温水の流量である給湯流量を検出する給湯流量センサと、
前記混合温水の温度である給湯温度を検出する給湯温度センサと、
制御手段と、
を備え、
前記制御手段は、前記給湯温度が目標温度に等しくなるように前記混合弁を動作させ、
前記制御手段は、現在の給湯状態に関する情報である給湯情報をユーザーインターフェースに送信し、
前記ユーザーインターフェースは、前記給湯情報を表示可能な表示手段を有し、
前記給湯流量が閾値以上である場合には、前記給湯温度センサにより検出された現在の前記給湯温度に関する情報を含む第一表示が前記給湯情報として前記表示手段に表示され、前記給湯流量が前記閾値よりも低い場合には、前記現在の前記給湯温度に関する情報以外の情報を含む第二表示が前記給湯情報として前記表示手段に表示される
給湯装置。
【請求項２】
前記第二表示は、前記給湯流量が低いことを報知する情報を含む請求項１に記載の給湯装置。
【請求項３】
湯側入口、水側入口、及び出口を有し、前記湯側入口から流入する第一温水と、前記水側入口から流入する第二温水とを混合した混合温水を前記出口から流出させる混合弁と、
前記混合温水の流量である給湯流量を検出する給湯流量センサと、
前記混合温水の温度である給湯温度を検出する給湯温度センサと、
制御手段と、
を備え、
前記制御手段は、前記給湯温度が目標温度に等しくなるように前記混合弁を動作させ、
前記制御手段は、現在の給湯状態に関する情報である給湯情報をユーザーインターフェースに送信し、
前記ユーザーインターフェースは、前記給湯情報を表示可能な表示手段を有し、
時間当たりの前記給湯温度の変動量、または時間当たりの前記混合弁の混合比の変動量が基準の範囲内である場合には、前記給湯温度センサにより検出された現在の前記給湯温度に関する情報を含む第一表示が前記給湯情報として前記表示手段に表示され、前記変動量が前記基準の範囲外である場合には、前記現在の前記給湯温度に関する情報以外の情報を含む第二表示が前記給湯情報として前記表示手段に表示される
給湯装置。
【請求項４】
湯側入口、水側入口、及び出口を有し、前記湯側入口から流入する第一温水と、前記水側入口から流入する第二温水とを混合した混合温水を前記出口から流出させる混合弁と、
前記混合温水の流量である給湯流量を検出する給湯流量センサと、
前記混合温水の温度である給湯温度を検出する給湯温度センサと、
制御手段と、
を備え、
前記制御手段は、前記給湯温度が目標温度に等しくなるように前記混合弁を動作させ、
前記制御手段は、現在の給湯状態に関する情報である給湯情報をユーザーインターフェースに送信し、
前記ユーザーインターフェースは、前記給湯情報を表示可能な表示手段を有し、
前記給湯温度センサにより検出された現在の前記給湯温度と前記目標温度との温度差が基準の範囲内である場合には、前記現在の前記給湯温度に関する情報を含む第一表示が前記給湯情報として前記表示手段に表示され、前記温度差が前記基準の範囲外である場合には、前記現在の前記給湯温度に関する情報以外の情報を含む第二表示が前記給湯情報として前記表示手段に表示される
給湯装置。
【請求項５】
前記第二表示は、前記給湯温度を調整中であることを報知する情報を含む請求項３または請求項４に記載の給湯装置。
【請求項６】
前記温度差が前記基準の範囲外であり、かつ、前記混合弁の混合比が所定の中間混合比領域にある場合には、前記第二表示は、前記給湯温度を調整中であることを報知する情報を含み、
前記温度差が前記基準の範囲外であり、かつ、前記混合弁の混合比が前記中間混合比領域の外にある場合には、前記第二表示は、前記給湯温度を調整中であることを報知する情報を含まない請求項４に記載の給湯装置。
【請求項７】
貯湯タンクと、
前記貯湯タンクに貯留され、前記混合弁の前記湯側入口に供給される湯の温度である貯湯温度を検出する貯湯温度センサと、
をさらに備え、
前記貯湯温度が前記目標温度に所定値を加算した温度よりも低い場合には、前記貯湯温度が低いことに関する情報が前記表示手段に表示される請求項１から請求項６のいずれか一項に記載の給湯装置。
【請求項８】
前記給湯温度センサ及び前記給湯流量センサの少なくとも一方の異常を前記制御手段が検出した場合には、センサの異常を報知する情報が前記表示手段に表示される請求項１から請求項７のいずれか一項に記載の給湯装置。
【請求項９】
前記給湯情報を前記表示手段に表示する機能を無効にすることを使用者が設定可能である請求項１から請求項８のいずれか一項に記載の給湯装置。
【請求項１０】
前記第二表示は、前記給湯温度が低い原因を報知する情報を含む請求項１から請求項９のいずれか一項に記載の給湯装置。
【発明の詳細な説明】
【技術分野】
【０００１】
本発明は、給湯装置に関する。
【背景技術】
【０００２】
湯と水を混合する混合弁の混合比を調整することにより給湯温度を制御する機能を有する給湯装置が広く用いられている。下記特許文献１に開示された従来の給湯装置は、給湯温度が設定温度と異なるなど、適切に給湯されなかった場合に、混合弁が正常に動作しているかをメンテナンスにおいて確認するためのモードとして、混合弁の開度、タンク最頂部の温度センサ、タンク最下部の温度センサ、給湯温度センサ、及び給湯流量センサの値をリモコンの表示部に表示するモードを有している。
【先行技術文献】
【特許文献】
【０００３】
【特許文献１】特開２０１４−４７９６７号公報
【発明の概要】
【発明が解決しようとする課題】
【０００４】
特許文献１におけるメンテナンスモードは、使用者が利用することを想定したものではない。また、給湯温度が設定温度よりも低くなる原因には、給湯装置の故障以外の要因も考えられる。従来の給湯装置では、給湯温度が設定温度よりも低いような場合に、使用者が給湯状態を容易に確認することができないという課題がある。
【０００５】
本発明は、上述のような課題を解決するためになされたもので、給湯状態を使用者に分かりやすく報知することのできる給湯装置を提供することを目的とする。
【課題を解決するための手段】
【０００６】
本発明に係る給湯装置は、湯側入口、水側入口、及び出口を有し、湯側入口から流入する第一温水と、水側入口から流入する第二温水とを混合した混合温水を出口から流出させる混合弁と、混合温水の流量である給湯流量を検出する給湯流量センサと、混合温水の温度である給湯温度を検出する給湯温度センサと、制御手段と、を備え、制御手段は、給湯温度が目標温度に等しくなるように混合弁を動作させ、制御手段は、現在の給湯状態に関する情報である給湯情報をユーザーインターフェースに送信し、ユーザーインターフェースは、給湯情報を表示可能な表示手段を有し、給湯流量が閾値以上である場合には、給湯温度センサにより検出された現在の給湯温度に関する情報を含む第一表示が給湯情報として表示手段に表示され、給湯流量が閾値よりも低い場合には、現在の給湯温度に関する情報以外の情報を含む第二表示が給湯情報として表示手段に表示されるものである。
また、本発明に係る給湯装置は、湯側入口、水側入口、及び出口を有し、湯側入口から流入する第一温水と、水側入口から流入する第二温水とを混合した混合温水を出口から流出させる混合弁と、混合温水の流量である給湯流量を検出する給湯流量センサと、混合温水の温度である給湯温度を検出する給湯温度センサと、制御手段と、を備え、制御手段は、給湯温度が目標温度に等しくなるように混合弁を動作させ、制御手段は、現在の給湯状態に関する情報である給湯情報をユーザーインターフェースに送信し、ユーザーインターフェースは、給湯情報を表示可能な表示手段を有し、時間当たりの給湯温度の変動量、または時間当たりの混合弁の混合比の変動量が基準の範囲内である場合には、給湯温度センサにより検出された現在の給湯温度に関する情報を含む第一表示が給湯情報として表示手段に表示され、変動量が基準の範囲外である場合には、現在の給湯温度に関する情報以外の情報を含む第二表示が給湯情報として表示手段に表示されるものである。
また、本発明に係る給湯装置は、湯側入口、水側入口、及び出口を有し、湯側入口から流入する第一温水と、水側入口から流入する第二温水とを混合した混合温水を出口から流出させる混合弁と、混合温水の流量である給湯流量を検出する給湯流量センサと、混合温水の温度である給湯温度を検出する給湯温度センサと、制御手段と、を備え、制御手段は、給湯温度が目標温度に等しくなるように混合弁を動作させ、制御手段は、現在の給湯状態に関する情報である給湯情報をユーザーインターフェースに送信し、ユーザーインターフェースは、給湯情報を表示可能な表示手段を有し、給湯温度センサにより検出された現在の給湯温度と目標温度との温度差が基準の範囲内である場合には、現在の給湯温度に関する情報を含む第一表示が給湯情報として表示手段に表示され、温度差が基準の範囲外である場合には、現在の給湯温度に関する情報以外の情報を含む第二表示が給湯情報として表示手段に表示されるものである。
【発明の効果】
【０００７】
本発明によれば、給湯状態を使用者に分かりやすく報知することが可能となる。
【図面の簡単な説明】
【０００８】
【図１】実施の形態１による給湯装置を示す図である。
【図２】実施の形態１におけるリモコンの表示部の表示例を示す図である。
【図３】実施の形態１におけるリモコンの表示部に給湯情報を表示した例を示す図である。
【図４】実施の形態１におけるリモコンの表示部に給湯情報を表示した例を示す図である。
【図５】実施の形態１における制御動作の処理を示すフローチャートである。
【図６】実施の形態１におけるリモコンの表示部に給湯情報を表示した例を示す図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１の給湯装置を示す図である。図１に示すように、本実施の形態の貯湯式給湯装置３５は、ヒートポンプサイクルを利用するＨＰユニット７と、貯湯タンク８を有するタンクユニット３３と、リモコン４４とを備える。本実施の形態では、この貯湯式給湯装置３５を例に説明するが、本発明は貯湯式以外の給湯装置にも適用可能である。
【００１１】
タンクユニット３３内には、制御手段に相当する制御部３６が備えられている。制御部３６と、リモコン４４との間は、有線通信または無線通信により、双方向に通信可能である。制御部３６と、リモコン４４とが、ネットワークを介して通信可能でもよい。リモコン４４は、ユーザーインターフェースの例である。本実施の形態において、リモコン４４は、例えば台所、リビング、浴室などの壁に設置されたものでもよい。または、例えばスマートフォンのような携帯情報端末が貯湯式給湯装置３５のユーザーインターフェースとしての機能を有するように構成してもよい。複数のリモコン４４が制御部３６に対して通信可能でもよい。
【００１２】
リモコン４４は、表示部４４ａ及び操作部４４ｂを備える。表示部４４ａは、例えば、液晶ディスプレイまたは有機ＥＬディスプレイでもよい。表示部４４ａは、例えば、貯湯式給湯装置３５の状態に関する情報、貯湯式給湯装置３５の設定内容に関する情報などを表示できる。表示部４４ａは、表示手段に相当する。操作部４４ｂは、使用者が操作するためのボタン、ダイヤル、キーなどを含んでもよい。表示部４４ａは、操作部の機能を兼ね備えるタッチスクリーンでもよい。リモコン４４は、スピーカ、マイク等をさらに備えてもよい。
【００１３】
ＨＰユニット７とタンクユニット３３との間は、ＨＰ往き管１４とＨＰ戻り管１５と図示しない電気配線とを介して接続されている。タンクユニット３３及びＨＰユニット７が備える弁類、ポンプ類のような各種のアクチュエータの作動は、これらと電気的に接続された制御部３６により制御される。
【００１４】
ＨＰユニット７は、タンクユニット３３から導かれた水を加熱する加熱手段の例である。ＨＰユニット７は、圧縮機２、水冷媒熱交換器３、膨張弁４、空気熱交換器６を冷媒管５にて環状に接続し、ヒートポンプサイクルを構成している。水冷媒熱交換器３は、冷媒管５を流れる冷媒とタンクユニット３３から導かれた水との間で熱交換を行うためのものである。ＨＰユニット７は、電力により駆動される。ＨＰユニット７により水を加熱する運転を沸上運転と称する。
【００１５】
タンクユニット３３には、以下の各種部品及び配管などが内蔵されている。貯湯タンク８は、湯水を貯留するためのものである。温度による水の密度の違いにより、貯湯タンク８内には、上側が高温で下側が低温の温度成層を形成できる。貯湯タンク８の下部に設けられた水導入口８ａには、第３給水管９ｃが接続されている。水道等の水源から供給される水は、減圧弁３１で所定圧力に調圧された上で、第３給水管９ｃを通って貯湯タンク８内に流入する。貯湯タンク８の上部に設けられた温水導入出口８ｄには、貯湯タンク８内に貯留された湯を取り出すための給湯管２１と、送湯管１３とが接続されている。沸上運転において、ＨＰユニット７を用いて加熱された高温湯が温水導入出口８ｄから貯湯タンク８内に流入し、貯湯タンク８内で上から下に向かって徐々に高温湯が蓄積されていく。貯湯タンク８の表面には、複数の貯湯温度センサ４２，４３が高さを変えて取り付けられている。制御部３６は、これら貯湯温度センサ４２，４３で貯湯タンク８内の湯水の温度分布を検出することにより、貯湯タンク８内の残湯量及び蓄熱量を検出できる。制御部３６は、検出された貯湯タンク８内の残湯量または蓄熱量に応じて、沸上運転の開始及び停止などを制御してもよい。
【００１６】
タンクユニット３３内には、循環ポンプ１２及びふろ用熱交換器２０が内蔵されている。循環ポンプ１２は、タンクユニット３３内の後述する各種の配管に湯水を循環させるためのポンプであり、ＨＰ往き管１４上に設けられている。ふろ用熱交換器２０は、貯湯タンク８またはＨＰユニット７から供給される高温湯を利用して、２次側の加熱対象水（浴槽水または暖房用水など）を加熱するための熱交換器である。本実施の形態では、ふろ用熱交換器２０の２次側の構成として、浴槽３０内の湯水を循環させるふろ往き管２７とふろ戻り管２８を例示し説明する。ふろ用熱交換器２０は、ふろ往き管２７とふろ戻り管２８の途中に設置されている。また、ふろ往き管２７とふろ戻り管２８の途中には、浴槽水を循環させるためのふろ循環ポンプ２９と、浴槽３０から出た浴槽水の温度を検出するためのふろ戻り温度センサ３８と、ふろ用熱交換器２０から出た熱交換後の湯の温度を検出するためのふろ往き温度センサ３７とが設置されている。
【００１７】
三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段であり、４つの経路、ａ−ｂ、ａ−ｃ、ｂ−ｄ、ｃ−ｄの間で流路切替可能に構成されている。また、タンクユニット３３は、水導出口管１０、温水導入管２０ａ、第１バイパス管１６、温水導出管２０ｂ、及び第２バイパス管１７を有している。水導出口管１０は、貯湯タンク８の下部に設けられた水導出口８ｂと三方弁１１のａポートとを接続する。ＨＰ往き管１４は、三方弁１１のｃポートとＨＰユニット７の入口側とを接続する。ＨＰ戻り管１５は、ＨＰユニット７の出口側と四方弁１８のｃポートとを接続する。送湯管１３は、四方弁１８のｄポートと、貯湯タンク８上部の温水導入出口８ｄとを接続する。第１バイパス管１６は、四方弁１８のａポートと、貯湯タンク８の中央部から下部の間に設けられた温水導入口８ｃとを接続する。温水導入管２０ａは、送湯管１３の途中から分岐し、ふろ用熱交換器２０の１次側入口に接続される。温水導出管２０ｂは、ふろ用熱交換器２０の１次側出口と三方弁１１のｂポートとを接続する。第２バイパス管１７は、ＨＰ往き管１４における循環ポンプ１２とＨＰユニット７の入口側との間から分岐し、四方弁１８のｂポートに接続される。
【００１８】
さらに、タンクユニット３３は、第１給水管９ａ、第２給水管９ｂ、給湯用混合弁２２、ふろ用混合弁２３、第１給湯管２４、及び第２給湯管２５を有している。第１給水管９ａの上流部は、水道等の水源に接続される。第１給水管９ａの下流側には、減圧弁３１を介して第２給水管９ｂ及び第３給水管９ｃが接続されている。
【００１９】
給湯用混合弁２２及びふろ用混合弁２３は、互いに同様の構成を有する。給湯用混合弁２２及びふろ用混合弁２３は、それぞれ、湯側入口、水側入口、及び出口を有し、湯側入口から流入する第一温水と、水側入口から流入する第二温水とを混合した混合温水を出口から流出させる。第二温水は、第一温水よりも温度が低い。
【００２０】
給湯管２１の下流部は、給湯用混合弁２２の湯側入口及びふろ用混合弁２３の湯側入口のそれぞれに連通している。本実施の形態では、貯湯タンク８から給湯管２１へ取り出された高温湯が第一温水として給湯用混合弁２２及びふろ用混合弁２３へ供給される。
【００２１】
第２給水管９ｂの下流部は、給湯用混合弁２２の水側入口及びふろ用混合弁２３の水側入口のそれぞれに連通している。本実施の形態では、第２給水管９ｂからの低温水が第二温水として給湯用混合弁２２及びふろ用混合弁２３へ供給される。
【００２２】
給湯用混合弁２２及びふろ用混合弁２３は、例えば、ステッピングモータにより回転する弁体を備え、当該弁体の回転によって湯側入口の開度と水側入口の開度との比を変えることで、第一温水と第二温水との混合比を調整可能である。この場合、ステッピングモータの回転量に応じて混合比が変化するので、制御部３６は、ステッピングモータの回転量の情報に対応した混合比の情報を保持することができる。以下の説明では、湯側入口からの第一温水の混合比を最大にする状態を「湯側全開」と呼び、水側入口からの第二温水の混合比を最大にする状態を「水側全開」と呼ぶことがある。湯側全開は、湯側入口からの第一温水の混合比を１００％とし、水側入口からの第二温水の混合比を０％とする開度でもよい。水側全開は、水側入口からの第二温水の混合比を１００％とし、湯側入口からの第一温水の混合比を０％とする開度でもよい。
【００２３】
第１給湯管２４は、給湯用混合弁２２の出口と給湯栓３４との間を繋ぐ。第２給湯管２５は、ふろ用混合弁２３出口と、ふろ往き管２７及びふろ戻り管２８との間を繋ぐ。
【００２４】
給湯流量センサ４６及び給湯温度センサ４７が第１給湯管２４に設置されている。給湯流量センサ４６は、第１給湯管２４を通る混合温水の流量である給湯流量を検出する。給湯温度センサ４７は、第１給湯管２４を通る混合温水の温度である給湯温度を検出する。
【００２５】
第２給湯管２５の途中には、第２給湯管２５を開閉するふろ用電磁弁２６と、第２給湯管２５を通る湯の流量を検出するふろ用流量センサ４５とが設けられている。
【００２６】
使用者は、リモコン４４を操作することで、給湯用混合弁２２についての設定温度及びふろ用混合弁２３についての設定温度をそれぞれ変更できる。以下の説明では、給湯用混合弁２２についての設定温度を「給湯設定温度」と呼び、ふろ用混合弁２３についての設定温度を「湯はり設定温度」と呼ぶ。
【００２７】
給湯流量センサ４６が水流を検出すると、制御部３６は、給湯温度センサ４７により検出される温度が、目標温度である給湯設定温度に等しくなるように、給湯用混合弁２２の混合比を調整するフィードバック制御を行う。
【００２８】
外部混合水栓９０は、貯湯式給湯装置３５の外部に設けられている。外部混合水栓９０は、例えば、浴室、流し台、洗面台などに設けられたカランまたはシャワーとして用いられる。外部混合水栓９０は、湯側入口９０ａ、水側入口９０ｂ、出口９０ｃ、及び温度調節ツマミ９０ｄを備える。湯側入口９０ａは、外部給湯管９１を介して給湯栓３４に接続されている。給湯用混合弁２２で温度調節された混合温水すなわち湯は、第１給湯管２４、給湯栓３４、及び外部給湯管９１を通って、湯側入口９０ａに流入する。水道等の水源からの低温水が外部給水管９２を通って水側入口９０ｂに流入する。湯側入口９０ａから流入した湯と、水側入口９０ｂから流入した水とが混合して出口９０ｃから流出する。使用者が温度調節ツマミ９０ｄを回すと、外部混合水栓９０の混合比を調整できる。
【００２９】
例えば、給湯用混合弁２２から湯側入口９０ａに供給される湯の温度が５０℃、水側入口９０ｂに供給される低温水の温度が１０℃とした場合、外部混合水栓９０の混合比を使用者が調整することで、使用者の所望の温度（例えば４２℃）の湯を出口９０ｃから流出させることができる。
【００３０】
図示の外部混合水栓９０は、サーモスタットタイプの混合水栓であるが、これに限られるものではない。外部混合水栓９０は、例えば、シングルレバータイプのものでもよいし、２バルブタイプのものでもよい。
【００３１】
ふろ用流量センサ４５が水流を検出すると、制御部３６は、ふろ往き温度センサ３７またはふろ戻り温度センサ３８により検出される温度が、目標温度である湯はり設定温度に等しくなるように、ふろ用混合弁２３の混合比を調整するフィードバック制御を行う。ふろ用混合弁２３で設定温度に調整された湯は、第２給湯管２５からふろ用電磁弁２６、ふろ用流量センサ４５、ふろ往き管２７、ふろ戻り管２８を経て浴槽３０に供給される。
【００３２】
三方弁１１は、水導出口管１０とＨＰ往き管１４とが連通する形態と、温水導出管２０ｂとＨＰ往き管１４とが連通する形態、の２つの流路形態で、タンクユニット３３内の湯水の流路を切り替えて使用する。四方弁１８は、ＨＰ戻り管１５と送湯管１３とが連通する形態、ＨＰ戻り管１５と第１バイパス管１６とが連通する形態、第１バイパス管１６と第２バイパス管１７とが連通する形態、送湯管１３と第２バイパス管１７とが連通する形態、の４つの流路形態で、タンクユニット３３内の湯水の流路を切り替えて使用する。
【００３３】
図２は、実施の形態１におけるリモコン４４の表示部４４ａの表示例を示す図である。図２は、給湯をしていないときの待機画面に相当する表示例である。図２の例では、表示部４４ａに、使用者が設定した給湯設定温度の情報として「給湯温度  ５０℃」と表示され、現在の時刻の情報として「１２：００」と表示されている。
【００３４】
給湯用混合弁２２から給湯中である場合には、制御部３６は、現在の給湯状態に関する情報である給湯情報をリモコン４４へ送信可能である。リモコン４４は、制御部３６から受信した給湯情報を表示部４４ａに表示可能である。
【００３５】
図３は、実施の形態１におけるリモコン４４の表示部４４ａに給湯情報を表示した例を示す図である。使用者がリモコン４４の操作部４４ｂを操作すると、「給湯の確認」の機能が起動して、図２のような待機画面に「給湯の確認」という項目が追加され、給湯情報が表示部４４ａに表示される。図３の例では、「給湯の確認」の機能を起動するための専用の釦である給湯確認釦４４ｃが操作部４４ｂの一つとしてリモコン４４に設けられており、使用者が給湯確認釦４４ｃを押すと給湯情報が表示される。このような構成に限らず、例えば、操作部４４ｂのうちの選択釦及び決定釦（図示省略）を用いてメニューから選択することで「給湯の確認」の機能が起動するようにしてもよい。
【００３６】
使用者は、例えば、シャワーまたはカランなどの外部混合水栓９０から出る湯の温度が給湯設定温度よりも低いと感じたときなど、現在の給湯状態を確認したいときには、給湯確認釦４４ｃを押して「給湯の確認」の機能を起動させる。これにより、給湯情報が表示部４４ａに表示され、使用者が給湯状態を確認することができる。
【００３７】
図３の例では、「給湯の確認」として「現在の給湯温度  ５０℃」と表示されている。この表示は、給湯温度センサ４７により検出された現在の給湯温度の情報に相当する。以下の説明では、この例のように給湯温度センサ４７により検出された現在の給湯温度に関する情報を含む表示を「第一表示」と称する。制御部３６は、給湯流量センサ４６により検出された給湯流量が閾値以上である場合には、給湯温度センサ４７により検出された現在の給湯温度に関する情報をリモコン４４へ送信する。この場合に給湯確認釦４４ｃが押されると、表示部４４ａが第一表示を表示する。
【００３８】
上述した給湯流量の閾値は、例えば、給湯流量センサ４６が検出可能な最少流量に相当する値でもよいし、あるいは給湯用混合弁２２による給湯温度調節を正常に実行可能な最少流量に相当する値でもよい。給湯流量センサ４６により検出された給湯流量が閾値以上である場合には、制御部３６は、給湯温度センサ４７により検出される温度が、目標温度である給湯設定温度に等しくなるように、給湯用混合弁２２の混合比を調整する動作を実施する。これに対し、給湯流量センサ４６により検出された給湯流量が閾値よりも低い場合には、制御部３６は、給湯用混合弁２２の混合比を調整する動作を実施しない。このため、給湯流量が閾値よりも低い場合には、給湯用混合弁２２から外部混合水栓９０の湯側入口９０ａに供給される湯の温度が給湯設定温度よりも低くなる可能性があるので、外部混合水栓９０から出る湯の温度が、使用者の期待する温度よりも低くなる可能性がある。以下の説明では、給湯用混合弁２２から流出する湯の温度が給湯設定温度よりも低くなることを「低温給湯」と称する。
【００３９】
図４は、実施の形態１におけるリモコン４４の表示部４４ａに給湯情報を表示した例を示す図である。図４の例は、給湯流量センサ４６により検出された給湯流量が閾値よりも低い場合に表示される給湯情報に相当する。給湯流量が閾値よりも低い場合には、第一表示とは異なる第二表示が給湯情報として表示部４４ａに表示される。第二表示は、給湯温度センサ４７により検出された現在の給湯温度に関する情報以外の情報を含む表示である。図４の例では、現在の給湯温度に関する情報以外の情報として、「流量なし」と表示されている。「流量なし」との表示は、給湯流量が低いことを使用者に報知する情報に相当する。
【００４０】
前述したように、給湯流量が閾値よりも低い場合には、低温給湯が発生する可能性がある。その際に使用者が「給湯の確認」の機能を起動させると、図４のように「給湯の確認」として「流量なし」と表示されるので、給湯流量が少なすぎることが低温給湯の原因であることを使用者に知らせることができる。これにより、貯湯式給湯装置３５が故障したと使用者が勘違いすることを確実に防止できる。
【００４１】
第二表示は、「流量なし」との表示に代えて、例えば「流量が少なすぎます」「流量を多くしてください」のような表示を含むことで、給湯流量が低いことを使用者に報知してもよい。また、第二表示は、給湯温度センサ４７により検出された現在の給湯温度に関する情報をさらに含んでもよい。すなわち、第二表示のときにも「現在の給湯温度  ○○℃」と表示部４４ａに表示してもよい。
【００４２】
図５は、本実施の形態における制御動作の処理を示すフローチャートである。図５のステップＳ１として、使用者が給湯確認釦４４ｃを押すと、「給湯の確認」の機能が起動し、ステップＳ２へ進む。
【００４３】
ステップＳ２で、制御部３６は、「給湯の確認」の機能に関連するセンサに異常がないかどうかを判断する。給湯流量センサ４６及び給湯温度センサ４７が「給湯の確認」の機能に関連するセンサに該当する。制御部３６は、給湯流量センサ４６及び給湯温度センサ４７からの信号に基づいて、当該センサに異常がないかどうかを判定可能である。例えば、給湯流量センサ４６または給湯温度センサ４７から異常電圧の入力がある場合には、制御部３６は、当該センサに異常があると判定する。
【００４４】
給湯流量センサ４６または給湯温度センサ４７に異常がある場合には、制御部３６は、ステップＳ８へ進み、「給湯の確認」の結果として「現在の給湯温度」の代わりに「センサ異常」と表示部４４ａに表示し、ステップＳ１１へ進む。このように、給湯温度センサ４７及び給湯流量センサ４６の少なくとも一方の異常を制御部３６が検出した場合には、センサの異常を報知する情報が表示部４４ａに表示されることで、センサが異常であることを使用者に確実に知らせることができる。
【００４５】
ステップＳ２で給湯流量センサ４６及び給湯温度センサ４７のいずれにも異常がない場合には、制御部３６は、ステップＳ３として、給湯流量センサ４６により検出された給湯流量を閾値（例えば、１Ｌ／ｍｉｎ）と比較する。給湯流量が閾値以上であれば、制御部３６は「流量あり」と判定し、給湯温度センサ４７の検出温度が、目標温度である給湯設定温度に等しくなるように給湯用混合弁２２の混合比を調整する動作を行う。
【００４６】
これに対し、ステップＳ３で給湯流量が閾値よりも低い場合には、制御部３６は、外部混合水栓９０が開かれていないか、あるいは、低流量の湯の温度を給湯用混合弁２２で制御しようとしても給湯温度の変動が大きくなってしまい、所望の温度に制御できない領域であると判断し、「流量なし」と判定する。このとき、制御部３６は、給湯用混合弁２２の制御を行わない。
【００４７】
制御部３６は、「流量あり」と判定した場合には、給湯用混合弁２２の制御が行えるため、ステップＳ４へ進む。制御部３６は、「流量なし」と判定した場合には、ステップＳ７へ進み、「給湯の確認」の結果として「現在の給湯温度」とは別の第二表示を表示部４４ａに行う。例えば、図４のように「流量なし」と表示する。あるいは、「現在の給湯温度」と「流量なし」とを合わせて表示してもよい。そして、ステップＳ１１へ進む。これにより、使用者は、外部混合水栓９０から出る湯の温度が低い原因が、外部混合水栓９０から出す流量がない、または低く、貯湯式給湯装置３５が給湯用混合弁２２の制御を行っていないためであると分かり、蛇口を大きく開くなどの対処をすることができるようになる。
【００４８】
ステップＳ４で、制御部３６は、給湯温度制御が安定しているかどうかを判断する。制御部３６は、給湯用混合弁２２の混合比を繰り返し変化させて補正しながら、給湯温度センサ４７の検出温度が目標温度に近づくように制御する。この給湯温度補正の間は、外部混合水栓９０に供給される湯の温度がまだ目標温度に等しくなっていないため、使用者は、外部混合水栓９０から出る湯の温度が低いと感じる可能性がある。給湯温度補正が進み、給湯温度センサ４７の検出温度が目標温度に近づけば、給湯用混合弁２２の混合比の補正が小さくなり、給湯温度が安定してくる。
【００４９】
ステップＳ４では、制御部３６は、例えば、所定時間（例えば、過去５秒間）内での給湯温度センサ４７の検出温度の変化幅が所定幅（例えば、２ｄｅｇ）以内となったら「安定」と判断し、ステップＳ５へ進み、給湯温度センサ４７の検出温度を「給湯の確認」の結果として図３の例のように「現在の給湯温度  ５０℃」などと表示する。
【００５０】
給湯温度がまだ安定していないとステップＳ４で判定した場合には、制御部３６は、ステップＳ６へ進み、「現在の給湯温度」とは別の第二表示を表示部４４ａに行う。例えば、「温度調整中」と表示する。あるいは、「現在の給湯温度」と「温度調整中」とを合わせて表示してもよい。そして、ステップＳ１１へ進む。これにより、使用者は、外部混合水栓９０から出る湯の温度が低い原因が、給湯用混合弁２２による給湯温度の調整の最中であるためと分かり、温度調整が終わるまで待つなどの対処をすることができるようになる。
【００５１】
上述したように、本実施の形態では、時間当たりの給湯温度の変動量が基準の範囲内である場合には、給湯温度が安定したと判定され、給湯温度センサ４７により検出された現在の給湯温度に関する情報を含む第一表示が給湯情報として表示部４４ａに表示される（ステップＳ５）。これに対し、当該変動量が基準の範囲外である場合には、給湯温度がまだ安定していないと判定され、現在の給湯温度に関する情報以外の情報を含む第二表示が給湯情報として表示部４４ａに表示される（ステップＳ６）。そして、給湯温度を調整中であることを報知する情報を第二表示が含むことで、上記のような効果が得られる。
【００５２】
変形例として、時間当たりの給湯用混合弁２２の混合比の変動量が基準の範囲内である場合には、給湯温度センサ４７により検出された現在の給湯温度に関する情報を含む第一表示が給湯情報として表示部４４ａに表示され、当該変動量が基準の範囲外である場合には、現在の給湯温度に関する情報以外の情報を含む第二表示が給湯情報として表示部４４ａに表示されるようにしてもよい。制御部３６は、例えば給湯用混合弁２２のステッピングモータの回転量に対応した混合比の情報をデジタル値として保持している。このため、給湯用混合弁２２の混合比の変動量に基づいて給湯温度の安定状態を判定することで、給湯温度センサ４７の応答を待たずに判定することができ、より迅速に判定することが可能となる。
【００５３】
ステップＳ５で現在の給湯温度を表示した場合には、制御部３６は、次にステップＳ９として、貯湯タンク８に貯留されている湯の温度が給湯設定温度に対して十分高いかどうかを判断する。給湯温度が低い要因の一つとして、貯湯温度が低い場合がある。例えば、給湯設定温度が５０℃で貯湯タンク８頂部の貯湯温度センサ４２の検出温度が４５℃の場合、給湯用混合弁２２を湯側全開の状態にしても、給湯温度センサ４７の検出温度はおよそ４５℃で安定してしまい、使用者の所望する温度の湯が供給できない。そこで、貯湯温度センサ４２の検出温度が、給湯設定温度に所定値β℃（例えば、β＝５）を加算した温度よりも低い場合には、制御部３６は、ステップＳ１０へ進み、図６のように「タンク内の温度が低下しています  わき上がるのをお待ちください」との文章を表示部４４ａに表示する。これにより、使用者は、外部混合水栓９０から出る湯の温度が低い原因が、貯湯温度が低いためであると分かり、ＨＰユニット７による貯湯タンク８内の湯水の沸上運転が終わるまで待つなどの対処をすることができるようになる。ステップＳ１０では、貯湯温度が低いことに関する情報として、上記の文章に代えて、または上記の文章に加えて、例えば、貯湯温度センサ４２の検出温度の情報を表示部４４ａに表示してもよい。ステップＳ１０の後、ステップＳ１１へ進む。
【００５４】
ステップＳ１１では、制御部３６は、「給湯の確認」の機能を終了するかどうかを判断する。使用者が例えば給湯確認釦４４ｃを再び押すなどの操作をすることで終了指示を出してもよいし、所定時間（例えば、１０分間）を制御部３６またはリモコン４４の制御部がカウントして自動的に「給湯の確認」の機能を終了してもよい。「給湯の確認」の機能を終了すると判定された場合には、「給湯の確認」の項目を表示部４４ａに表示することを終了し、当該項目を表示しないようにする。
【００５５】
これに対し、「給湯の確認」の機能をまだ終了しないとステップＳ１１で判定された場合には、ステップＳ１２へ進む。ステップＳ１２では、「給湯の確認」の機能の表示結果を更新するための表示更新時間が経過したかどうかを判断する。ステップＳ３などの各判断は経時的に変化する。そこで、所定時間（例えば５秒間）毎に「給湯の確認」の機能の表示結果を更新することにより、使用者がその都度給湯確認釦４４ｃを操作する必要がなくなるため、簡易に最新の給湯温度、給湯状態の判断結果などを確認することができる。
【００５６】
以上説明したように、本実施の形態であれば、給湯温度が低い原因を報知する情報を第二表示が含むようにしたことで、給湯装置に故障がない場合でも、給湯流量が低いことで給湯装置が温度制御をしていなかったり、温度制御の途中であったり、貯湯温度が低かったり、といった要因のために給湯温度が低くなることを使用者が理解できるようになる。このため、給湯温度が低いときに、使用者は、給湯装置の故障が原因であるのか、故障以外の要因によるものかを容易に判別することが可能となる。
【００５７】
また、制御部３６は、ステップＳ４で給湯温度センサ４７により検出された現在の給湯温度と目標温度との温度差が基準の範囲内である場合には、給湯温度が安定したと判定して、現在の給湯温度に関する情報を含む第一表示が給湯情報として表示部４４ａに表示されるようにしてもよい。これに対し、当該温度差が基準の範囲外である場合には、制御部３６は、給湯温度がまだ安定していないと判定して、現在の給湯温度に関する情報以外の情報を含む第二表示が給湯情報として表示部４４ａに表示されるようにしてもよい。このようにした場合でも、前述した効果に類似した効果が得られる。
【００５８】
また、本実施の形態では、変形例として、以下のようにしてもよい。制御部３６は、ステップＳ４で給湯温度センサ４７により検出された現在の給湯温度と目標温度との温度差が基準の範囲外である場合（例えば、現在の給湯温度が（目標温度−２℃）に達していない場合）において、給湯用混合弁２２の混合比が所定の中間混合比領域にある場合には、ステップＳ６に進み、給湯温度を調整中であることを報知する情報を含む第二表示を表示部４４ａに表示させる。これに対し、現在の給湯温度と目標温度との温度差が上記基準の範囲外であり、かつ、給湯用混合弁２２の混合比が上記「中間混合比領域」の外にある場合には、制御部３６は、給湯温度を調整中であることを報知する情報を含まない第二表示を表示部４４ａに表示させる。
【００５９】
上記「中間混合比領域」とは、湯側全開と水側全開との間の一部の領域である。例えば、混合比を湯側９０％：水側１０％とする開度から、混合比を湯側１０％：水側９０％とする開度までの範囲を中間混合比領域としてもよい。給湯用混合弁２２の混合比が中間混合比領域にあるときには、混合比を補正する余地がまだあり、給湯温度が目標温度に近づくことが期待できる。例えば、目標温度が４０℃、現在の給湯温度が３５℃であり、かつ給湯用混合弁２２の混合比が中間混合比領域にあるときには、湯側の開度をさらに大きくすることで、給湯温度が目標温度に近づくことが期待できる。この場合には、例えば「温度調整中」のように給湯温度を調整中であることを報知する情報を含む第二表示を表示部４４ａに表示させることが望ましい。
【００６０】
これに対し、給湯用混合弁２２の混合比が中間混合比領域の外にあるときには、混合比をそれ以上補正する余地がなく、給湯温度が目標温度に近づくことが期待できない可能性がある。例えば、目標温度が４０℃、現在の給湯温度が３５℃であり、給湯用混合弁２２の混合比が湯側全開またはそれに近い場合には、給湯温度が目標温度に近づくことが期待できない。このような場合には、低温給湯の原因は、給湯用混合弁２２が温度調整中であること以外の理由であると考えられる。例えば、給湯流量が閾値よりも低いこと、あるいは貯湯タンク８内の貯湯温度が低いことが、低温給湯の原因である可能性がある。そこで、この場合には、給湯温度を調整中であることを報知する情報を含まない第二表示を表示部４４ａに表示させる。この場合、例えば、「流量が少なすぎませんか？」及び「タンク内の温度が低下していませんか？」のうちの少なくとも一つの情報を含む第二表示を表示部４４ａに表示させてもよい。以上のようにすることで、より適切な給湯情報を使用者に報知することが可能となる。
【００６１】
「給湯の確認」の機能、すなわち給湯情報を表示部４４ａに表示する機能を無効にすることを使用者が事前にリモコン４４から設定可能であるように構成してもよい。これにより、「給湯の確認」の機能を必要としない使用者は、当該機能を無効にすることを設定しておくことで、不必要な情報が表示部４４ａに表示されることを確実に防止でき、煩わしさを感じることを回避できる。
【符号の説明】
【００６２】
２  圧縮機、  ３  水冷媒熱交換器、  ４  膨張弁、  ５  冷媒管、  ６  空気熱交換器、  ７  ＨＰユニット、  ８  貯湯タンク、  ９ａ  第１給水管、  ９ｂ  第２給水管、  ９ｃ  第３給水管、  １０  水導出口管、  １１  三方弁、  １２  循環ポンプ、  １３  送湯管、  １４  ＨＰ往き管、  １５  ＨＰ戻り管、  １８  四方弁、  ２０  ふろ用熱交換器、  ２１  給湯管、  ２２  給湯用混合弁、  ２３  ふろ用混合弁、  ２４  第１給湯管、  ２５  第２給湯管、  ２６  ふろ用電磁弁、  ２７  ふろ往き管、  ２８  ふろ戻り管、  ２９  ふろ循環ポンプ、  ３０  浴槽、  ３３  タンクユニット、  ３４  給湯栓、  ３５  貯湯式給湯装置、  ３６  制御部、  ３７  ふろ往き温度センサ、  ３８  ふろ戻り温度センサ、  ４２，４３  貯湯温度センサ、  ４４  リモコン、  ４４ａ  表示部、  ４４ｂ  操作部、  ４４ｃ  給湯確認釦、  ４５  ふろ用流量センサ、  ４６  給湯流量センサ、  ４７  給湯温度センサ、  ９０  外部混合水栓、  ９０ａ  湯側入口、  ９０ｂ  水側入口、  ９０ｃ  出口、  ９０ｄ  温度調節ツマミ、  ９１  外部給湯管、  ９２  外部給水管
【図１】
2019113212.tif 000003
【図２】
2019113212.tif 000004
【図３】
2019113212.tif 000005
【図４】
2019113212.tif 000006
【図５】
2019113212.tif 000007
【図６】
2019113212.tif 000008